(57)【要約】  【課題】  被検者の膝部分を定位でX線CT装置を提供すること。  【解決手段】  遮蔽兼患者保持筒19は、患者を撮影中に移動しないように固定するとともに、前記患者の膝部分と相当する位置が透明な材質で形成される。【選択図】      図１
2007159598.tif 000002
【特許請求の範囲】
【請求項１】
Ｘ線を発生する手段と、前記Ｘ線発生手段に対向して配置され被検者の前記Ｘ線を２次元的に検出するＸ線検出手段と、
前記Ｘ線検出手段と前記Ｘ線検出手段との間に前記被検者を保持する保持手段と、
前記Ｘ線発生手段と前記Ｘ線検出手段を一体で保持し、前記被検者の周りを回転させる回転駆動手段と、
前記Ｘ線検出手段で検出された前記透過Ｘ線に基づき前記被検者の断層像を作成する画像処理手段と、
前記作成された断層像を表示する表示手段とを備えたＸ線ＣＴ装置において、
前記保持手段は、前記被検者を撮影中に移動しないように固定するとともに、前記被検者の膝部分に相当する位置が透明な材質で形成されることを特徴とするＸ線ＣＴ装置。
【請求項２】
前記保持手段は、前記被検者の膝部分を除く部分がＸ線を遮蔽する遮蔽体であることを特徴とする請求項１に記載のＸ線ＣＴ装置。
【請求項３】
前記保持手段は、前記被検者が把持するためのハンドルを備えたことを特徴とする請求項１又は２の何れかに記載のＸ線ＣＴ装置。
【発明の詳細な説明】
【技術分野】
【０００１】
本発明は、患者の一部にX線を照射しその投影画像を処理して断層像などを撮影する膝  部分撮影用X線CT装置に係わる。
【背景技術】
【０００２】
従来CT装置では、患者の全周囲からX線を照射して投影像を得た後変換処理して断層像を再構成している。(例えば、特許文献1)
【特許文献１】特開2005-237752号公報
【発明の開示】
【発明が解決しようとする課題】
【０００３】
近年、膝の痛みを訴える被検者(患者)が増えている。従来のX線CT装置は患者がベッドに寝るか、椅子に座って患者の体を固定して撮影するが、患者は膝の痛みを訴える時は立位の状態で顕著であるので、痛みを感じる状態で撮影したいとのニーズがある。
上記従来技術では、上記ニーズに対応するために配慮されていなかった。
また、立位のままの撮影を行うには患者が撮影中に移動しないことが必要であり患者をある程度拘束する必要がある。また身体を自己保持出来る事が必要であることも配慮されていなかった。
【０００４】
本発明の目的は、被検者の膝部分を定位でX線CT装置を提供することにある。
【課題を解決するための手段】
【０００５】
上記目的は、X線を発生する手段と、前記X線発生手段に対向して配置され被検者の前記X線を2次元的に検出するX線検出手段と、前記X線検出手段と前記X線検出手段との間に前記被検者を保持する保持手段と、前記X線発生手段と前記X線検出手段を一体で保持し、前記被検者の周りを回転させる回転駆動手段と、前記X線検出手段で検出された前記透過X線に基づき前記被検者の断層像を作成する画像処理手段と、前記作成された断層像を表示する表示手段とを備えたX線CT装置において、前記保持手段は、前記被検者を撮影中に移動しないように固定するとともに、前記被検者の膝部分に相当する位置が透明な材質で形成されることによって達成される。
【発明の効果】
【０００６】
本発明によれば、被検者の膝部分と立位でX線CT撮影ができる。
【発明を実施するための最良の形態】
【０００７】
以下添付図面により本発明に係る実施の形態について説明する。本実施形態のCT装置は、スキャナ機構部1と画像処理部2から構成される。図1は、本発明の一実施例の側面図であり、図2は図1の上面図である。図3は本発明の全体構成を示すブロック図である。
【０００８】
スキャナ機構部1は、Uアーム回転駆動部12と、Uアーム13と、X線発生手段14と、X線検出手段15と、制御装置16と、脚部上下機構17とマットスイッチ1Aから構成される。Uアーム回転駆動部12はUアーム13を保持し、所定速度で回転させる。X線発生手段14はUアーム13の片側の先端に設けられている。また、X線検出手段15は、X線発生手段14に対応して配置され、患者を透過したX線量を2次元的に検出するものであり、Uアームの反対側の先端部に設けられている。すなわちX線発生手段14とX線検出手段15は互いに対向するように配置されている。Uアーム13は脚部上下機構部17を回転中心としてUアーム駆動機構部12によって約405度回転駆動されるようになっている。撮影範囲は360度であるが、回転速度が一定になった所から撮影を開始するため、45度観点範囲を広く取っている。画像の取り込みは、Uアーム回転駆動部12に内蔵された位置検出用エンコーダにより制御されている。
【０００９】
X線検出手段15は、CCDカメラ151、電動絞り152及びイメージインテンシファイア(I.I)装置153から構成されている。I.I装置153は、患者を透過して入射したX線を可視光に変換する。CCDカメラ151は、この可視光を受光し電気信号に変換する。イメージインテンシファイア153は視野サイズが可変であり、電動絞り152はその視野サイズにあわせた変更が可能となっている。なお、I.Iの代わりにX線平面センサ(FPD)などを用いても良い。
【００１０】
脚部上下機構17は、Uアーム13の回転中心軸上に患者の膝部付近が位置するように配置される。脚部上下機構17は回転機構部12の中央部分に取り付けられており、患者の膝高さの違いによる撮影位置の調整及び撮影部位による撮影位置の微調整を行う為に、上下に移動可能となっている。マットスイッチ1AはUアーム13の回転領域を囲むように設けられたマットであり、このマットスイッチ1Aに人又は物体などが進入した時、旋回動作を停止するインターロック機能を備える。遮蔽兼患者保持筒19はX線の照射範囲部分を除きX線遮蔽が施されており、回転中に発生する散乱線を防止し、患者に無効な被曝を与えないよう考慮されている。なお、この遮蔽兼患者保持筒19は照射野の確認が可能なように透明な樹脂を用いている。また、患者が自身を保持するための取手が設けてあり、取手を2箇所保持しないとX線の照射が行われないように構成されている。
【００１１】
画像処理部2は、画像処理装置21と、画像表示装置22と、キーボード236と、マウス24などで構成される。画像処理装置21は、360度で288枚のX線透視画像を取り込み、これらの画像を再構成して2次元断面像を作成しそれを画像表示装置22に出力する。画像処理装置21の行う画像再構成は、旧知の技術であるコーンビームCTの技法を用い、患者の周りをUアームが1半回転と少し回転するだけで、必要なデータが得られる。
この結果、良好なCT画像を得る事ができる。
以上に説明したように実施例の形態によれば、患者の膝部分の撮影が容易に行える。
【００１２】
本実施形態のX線CT装置によれば、患者の膝部分の撮影が可能であるが、その設置面積が小さくできるため、大型の装置を導入できない医院でも装置の導入が可能となる。また患者が立ったままの体重をかけた状態での撮影ができる。
【図面の簡単な説明】
【００１３】
【図１】実施形態によるX線CT装置の構成例の側面図である。
【図２】図1の上面図。
【図３】本実施の形態に係るX線CT装置の全体構成を示すブロック図。
【符号の説明】
【００１４】
１  スキャナ機構部、1A  マットスイッチ、２  画像処理部、１１  遮蔽兼患者保持筒、１２  Uアーム回転駆動部、１３  Uアーム、１４  X線発生手段、１５  X線検出手段、１５１  CCDカメラ、１５２  電動絞り、１５３  イメージインテンシファイア、１６  制御装置、１６１  X線制御装置、１７  脚部上下機構、１８  操作卓、１９  遮蔽兼患者保持筒、２０  制御装置、２１  画像処理装置、２２  画像表示装置、２３  キーボード、２４  マウス
【図１】
2007159598.tif 000003
【図２】
2007159598.tif 000004
【図３】
2007159598.tif 000005